(57)【要約】      （修正有）【課題】四つの用紙片で構成される袋綴じを簡易に作製することができる袋綴じ構造を提供する。【解決手段】袋綴じ構造１８は、同一方向に連接された第１用紙片１〜第４用紙片４を各用紙片の境界で巻き四つ折りすることにより作製される。第１用紙片１の端部と第４用紙片４の端部は、接着されて綴じられており、第２用紙片２の端部は、第１用紙片１の仮接着領域に仮接着されている。第１用紙片１の接着剤２１付近の第２用紙片側２に、第１の用紙片１を分断するための第１のミシン目１１が形成されており、さらに、第４用紙片４にも、第２のミシン目１２が形成されている。第４用紙片４には、雑誌類の頁に接着するための接着剤２２が塗布されている。【選択図】図６
0003131589.tif 000002
【実用新案登録請求の範囲】
【請求項１】
同一方向に連接された第１用紙片〜第４用紙片が、各用紙片の境界で巻き四つ折りされた袋綴じ構造であって、
第１用紙片の端部と第４用紙片の端部は、接着されて綴じられており、さらに、
第３用紙片に隣接する第２用紙片の端部は、第１用紙片に仮接着されていることを特徴とする袋綴じ構造。
【請求項２】
第１用紙片の仮接着領域付近に、第１用紙片を分断するための第１のミシン目が形成されていることを特徴とする請求項１に記載の袋綴じ構造。
【請求項３】
第１のミシン目は、第１用紙片における仮接着領域付近の第２用紙片側に形成されていることを特徴とする請求項２に記載の袋綴じ構造。
【請求項４】
第４用紙片に、その第４用紙片を分断するための第２のミシン目が形成されていることを特徴とする請求項１〜３のいずれか一項に記載の袋綴じ構造。
【請求項５】
第１用紙片の仮接着領域を有する面の第２用紙片によって覆われていない領域、及び／又は第１用紙片と接着されている面とは反対側の第４用紙片の面は、雑誌類の頁に接着されていることを特徴とする請求項１〜４のいずれか一項に記載の袋綴じ構造。
【考案の詳細な説明】
【技術分野】
【０００１】
本考案は、雑誌等に綴じ込むための袋綴じ構造に関する。
【背景技術】
【０００２】
雑誌や書籍等には、店頭での立ち読みを防止するため、袋綴じが利用される。袋綴じの構造については、二頁分を二つ折りして袋綴じしたものや、三頁分以上を外折して袋綴じしたものなど種々の構造が提案されている。
【０００３】
【特許文献１】実用新案登録第２５３８３５５号公報
【特許文献２】特開平７−３０９０８０号公報
【考案の開示】
【考案が解決しようとする課題】
【０００４】
しかしながら、従来の構造では、例えば横長に四頁分の大きさの袋綴じを作製する場合、仮接着する箇所が多く、或いは折り回数が多くなってしまい、作製工数が過剰であった。そこで、本考案は、四つの用紙片で構成される袋綴じを簡易に作製することができる袋綴じ構造を提供することを目的とする。
【課題を解決するための手段】
【０００５】
本考案に係る袋綴じ構造は、同一方向に連接された第１用紙片〜第４用紙片が、各用紙片の境界で巻き四つ折りされた袋綴じ構造であって、第１用紙片の端部と第４用紙片の端部は、接着されて綴じられており、さらに、第３用紙片に隣接する第２用紙片の端部は、第１用紙片に仮接着されていることを特徴とする。
【０００６】
この構造によれば、各用紙片を二回の折り回数で巻き四つ折りすることができ、しかも、第１用紙片の端部と第４用紙片の端部との接着と、第２用紙片の端部と第１用紙片との仮接着の、二箇所の接着及び仮接着により、簡易に、横長乃至縦長状の袋綴じを形成することができる。
【０００７】
また、本考案による袋綴じ構造において、第１用紙片の仮接着領域付近に、第１用紙片を分断するための第１のミシン目が形成されているとよい。この構造により、袋綴じを展開する際に、仮接着部分を剥がして第２用紙片を第１用紙片から離脱させ、第１のミシン目に沿って第１用紙片を分断することができる。
【０００８】
さらには、第１のミシン目は、第１用紙片における仮接着領域付近の第２用紙片側に形成されているとよい。この構造により、第１のミシン目に沿って第１用紙片を分断した際、第２用紙片に連接された側の分断された第１用紙片に、仮接着領域を残さないようにすることができる。
【０００９】
さらに、第４用紙片に、その第４用紙片を分断するための第２のミシン目が形成されているとよい。この構造により、第４用紙片を簡易に分断することで、横長乃至縦長状の独立した印刷物とすることができる。
【００１０】
また、第１用紙片の仮接着領域を有する面の第２用紙片によって覆われていない領域、及び／又は第１用紙片と接着されている面とは反対側の第４用紙片の面は、雑誌類の頁に接着されているとよい。この構造により、袋綴じを雑誌類の付録として利用することができる。
【考案の効果】
【００１１】
本考案の袋綴じ構造によれば、四つの用紙片で構成される袋綴じを簡易に作製することができる。
【考案を実施するための最良の形態】
【００１２】
以下、図面を参照して本考案による袋綴じ構造の好適な実施形態について詳細に説明する。
【００１３】
図１は、袋綴じを作製するための印刷物１０であって、折り込まれる内側の面を示す正面図である。印刷物１０は、長方形状に形成されており、第１用紙片１、第２用紙片２、第３用紙片３及び第４用紙片４が同一方向に連接されたものである。第１用紙片１の端部６と第４用紙片４の端部７とには、印刷物１０の長手方向に対して垂直方向に接着剤２０が塗布され、印刷物１０は中心線の折り線８で折られて、綴じ合わせられる。この折り線８は、第２用紙片２と第３用紙片３との境界を成している。
【００１４】
また、第１用紙片１には、印刷物１０の長手方向に対して垂直方向に、第１用紙片１を分断するための第１のミシン目１１が形成されている。また、第４用紙片４にも、その第４用紙片４を分断するための第２のミシン目１２が形成されている。
【００１５】
折り線１３は、第１用紙片１と第２用紙片２との境界を成し、折り線１４は、第３用紙片３と第４用紙片４との境界を成している。折り線１３，１４は、印刷物１０を巻き四つ折りする際の二回目の折り線となる。
【００１６】
図２は、印刷物１０の折り込まれる外側の面を示す背面図である。第１用紙片１において、第１のミシン目１１に沿って、その第１のミシン目１１の近傍端部側における仮接着領域１６には、第２用紙片２の端部を第１用紙片１に仮接着するため、仮接着に適した接着剤２１が塗布されている。また、第４用紙片４の端部１７には、袋綴じされた印刷物１０を雑誌類の頁に接着するため、接着剤２２が塗布される。
【００１７】
続いて、袋綴じを作製する方法を説明する。図１に示すように、印刷物１０の折り線８を矢印の方向に折り、第１用紙片１の端部６と第４用紙片４の端部７のいずれか一方又は双方に接着剤２０を塗布して貼り合わせる。図３は、第１用紙片１と第４用紙片４とを貼り合わせた状態を示す正面図である。さらに、図３の矢印に示すように、折り線１３に沿って、巻き四つ折りの二回目の折りを行う。このとき、折り線１４も同時に折り線１３に沿って折られ、第３用紙片３に隣接する第２用紙片２の端部１５が、第１用紙片１の仮接着領域１６に塗布された接着剤２１に接触し、仮接着される。
【００１８】
図４は、折り線１３に沿って、巻き四つ折りの二回目の折りを行い、第２用紙片２を第１用紙片１に貼り合わせた状態を示す正面図である。図４に示すように、第２用紙片２の端部１５と第１用紙片１の仮接着領域１６とは、接着剤２１により仮接着され、袋綴じ（袋綴じ構造）１８が完成する。
【００１９】
図５は、袋綴じ１８が形成された状態の背面図である。図５に示すように、袋綴じ１８の背面には、第４用紙片４に形成されたミシン目１２が現れている。また、袋綴じ１８の背面は、第１用紙片１と接着されている面とは反対側であるため、袋綴じ１８を雑誌類の頁に接着するために接着剤２２が塗布された領域１７が現れている。
【００２０】
図６は、図４のＶＩ−ＶＩ断面の概略図である。図６に示すように、第１用紙片１の端部６と第４用紙片４の端部７とは接着剤２０によって接着され、第３用紙片３に隣接する第２用紙片２の端部１５は、接着剤２１によって第１用紙片１に仮接着されている。第１のミシン目１１は、第１用紙片１の接着剤２１付近の第２用紙片２側に位置しており、第２のミシン目１２は、第４用紙片４に塗布された接着剤２０、２２よりも第３用紙片３側に位置している。この袋綴じ１８は、接着剤２２によって、雑誌や書籍等雑誌類の付録として喉部側に接着される。
【００２１】
このように、第１用紙片１〜第４用紙片４の各用紙片を二回の折り回数で巻き四つ折りすることができ、しかも、第１用紙片１の端部６と第４用紙片４の端部７との接着と、第２用紙片２の端部１５と第１用紙片１との仮接着の、二箇所の接着及び仮接着により、簡易に、袋綴じ構造１８を作製することができる。
【００２２】
袋綴じ１８は、インラインで接着（糊付け）、ミシン入れ、平行折り加工、断裁等の加工機能を有する装置を設置したオフセット輪転機によって作製することができる。この場合、接着（糊付け）やミシン入れは、ラインパターン状に形成する。或いは、オフセット枚葉機で、印刷物１０を印刷した後、オフラインで断裁、折り加工、ミシン入れ等を行うことにより作製することもできる。
【００２３】
次に、この袋綴じ１８が綴じ込まれた雑誌類を購入した読者が、袋綴じ１８を展開する方法を説明する。
【００２４】
まず読者は、図４〜図６に示す状態から、接着剤２１による接着力に抗して仮接着部分（第２用紙片２の端部１５と第１用紙片１の仮接着領域１６）を手で剥がし、第２用紙片２を第１用紙片１から離脱させる。そして、読者は、第１のミシン目１１に沿って第１用紙片１を雑誌類から分断する。このとき、第１のミシン目１１は、接着剤２１よりも、第２用紙片２に連接された側の分断された第１用紙片１にあるため、分断された袋綴じ１８側にある第１用紙片１には、仮接着領域１６に付着している接着剤２１は残らない。さらに、読者は、第２のミシン目１２に沿って第４用紙片４を分断する。これにより、袋綴じ１８の図１に示す、横長乃至縦長状の領域２３（第１のミシン目１１から第２のミシン目１２までの間の領域）を雑誌類から完全に分離、独立した長辺型の印刷物とすることができる。
【００２５】
袋綴じ１８の領域２３は、印刷物１０の大部分を占め、ほぼ四頁分の広い領域を有する。したがって、領域２３に、有名人の全身写真やパノラマ写真、カレンダー等を印刷し、ポスターとして利用することもできる。この場合、第２用紙片２と第３用紙片３にわたって写真や絵柄を印刷してもよく、或いは第１用紙片１から第４用紙片４にわたって、写真や絵柄を印刷してもよい。
【００２６】
袋綴じ１８は、Ａ４、Ｂ５サイズ等の縦長状の書籍、冊子等の雑誌類に綴じ込むことができ、第１のミシン目１１や第２のミシン目１２に沿って切り取り、袋綴じ１８を展開すれば、横長状の比較的大きいサイズの印刷物１０を展開することができる。そして、袋綴じ１８は二重に巻き折りされて、仮接着部分（第２用紙片２の端部１５と第１用紙片１の仮接着領域１６）によって仮接着されているため、袋綴じ１８を雑誌類に付録として付属させる場合であっても、製本の際に、袋綴じ１８が展開等により、ばらけてしまうことを防止することができる。
【００２７】
また、読者としては、二重に巻き折りされた袋綴じ１８を、まず仮接着部分（第２用紙片２の端部１５と第１用紙片１の仮接着領域１６）を剥がして図３に示す第１用紙片１と第２用紙片２の印刷内容を観賞し、さらに第１のミシン目１１又は第２のミシン目１２に沿って切り取って、図１に示す第１用紙片１から第４用紙片４の印刷内容を観賞することとなる。したがって、読者にとっては、袋綴じ１８を展開する都度、二回にわたって印刷内容への期待感と観賞を楽しむことができる。
【００２８】
なお、本考案は上記実施形態に限られない。
【００２９】
袋綴じ１８の領域２３を完全に雑誌類から分離しなくてよい場合は、第１のミシン目１１又は第２のミシン目１２を形成しなくともよい。また、読者がペーパーナイフ等で仮接着領域１６付近や或いは折り線８等を切り取る場合は、第１のミシン目１１と第２のミシン目１２のいずれも形成しなくともよい。
【００３０】
袋綴じ１８を雑誌類の頁に接着するために、上記実施形態では、第４用紙片４の端部１７に接着剤２２を塗布したが、この代わりに、図７に示すように、第１用紙片１の仮接着領域１６を有する面の第２用紙片２に覆われない領域２６、すなわち、第１用紙片１の端部に接着剤を塗布して、雑誌類の頁に接着してもよい。或いは、第４用紙片４の端部１７と、第１用紙片１の仮接着領域１６を有する面の第２用紙片２に覆われない領域２６との両方に、接着剤を塗布して、その接着した領域を雑誌類に綴じ込むように接着してもよい。
【００３１】
その一方、袋綴じ１８を雑誌等に綴じ込むのではなく、単体で取引する場合や、他の方法で商品に取り付ける場合は、必ずしも端部１７に接着剤２２を塗布しなくともよい。例えば、調味料が入ったボトルに、レシピを印刷した袋綴じ１８を取り付ける場合などである。
【００３２】
また、袋綴じ１８の上辺と下辺から内部を覗かれないよう、印刷物１０の長手方向の縁部を仮接着してもよい。折り線８は、上記実施形態では、印刷物１０の中心線であったが、中心線より多少ずれていても、袋綴じを形成することは可能である。さらに、第１用紙片１の仮接着剤２１を塗布する仮接着領域１６は、第１のミシン目１１より端部側に設けたが、第１のミシン目１１より第２用紙片２側に設けてもよい。また、図２において仮接着領域１６と第１のミシン目１１は、第１用紙片１の端部側により近接するように構成してもよい。
【図面の簡単な説明】
【００３３】
【図１】本実施形態に係る袋綴じ構造を作製するのに用いる印刷物の正面図である。
【図２】印刷物の背面図である。
【図３】第１用紙片と第４用紙片とを貼り合わせた状態を示す正面図である。
【図４】袋綴じの正面図である。
【図５】袋綴じの背面図である。
【図６】図４に示す袋綴じのＶＩ−ＶＩ断面の概略図である
【図７】袋綴じの正面図である。
【符号の説明】
【００３４】
１…第１用紙片、２…第２用紙片、３…第３用紙片、４…第４用紙片、６…端部、７…端部、８…折り線（境界）、１１…第１のミシン目、１２…第２のミシン目、１３…折り線（境界）、１４…折り線（境界）、１５…端部、１６…仮接着領域、１７…端部、１８…袋綴じ（袋綴じ構造）、２０…接着剤、２１…接着剤、２２…接着剤。
【図１】
0003131589.tif 000003
【図２】
0003131589.tif 000004
【図３】
0003131589.tif 000005
【図４】
0003131589.tif 000006
【図５】
0003131589.tif 000007
【図６】
0003131589.tif 000008
【図７】
0003131589.tif 000009